(57)【要約】
【課題】  解決しようとする問題点は、使用部品点数を可及的に少なくして、簡易な構
造でありながら、簡便に分解することができず、且つ、廉価に提供できるようにする点で
ある。
【解決手段】  バックミラー２Ａのステー３Ａの下端を緩み止めナット１４と固定用ナ
ット５との協働により固定保持するブラケット４と、このブラケット４の下部に配され、
前記ステー３Ａの固定用ナット５の下面を覆ってブラケット４と一体化される閉鎖板６Ａ
と、ブラケット４と閉鎖板６Ａをハンドル７Ａのネジ孔７Ｂに固定する六角ボルト８Ａと
からなり、この六角ボルト８Ａは、頭部８Ｂにレンチの挿入を回避する突起９Ａが備わっ
た六角孔１０Ａが設けられていると共に、ブラケット４には、この六角ボルト８Ａの頭部
８Ｂの最大径とほぼ同じ内法寸法を備えてこの六角ボルト８Ａの頭部８Ｂを囲繞するよう
に立ち上げられ、工具の挿入を阻止する周壁１１Ａが設けられたものである。
【選択図】      図１
0003100917.tif 000002
【実用新案登録請求の範囲】
【請求項１】
突起物の取り付け軸の下端を緩み止めナットと固定用ナットとの協働により固定保持す
るブラケットと、このブラケットの下部に配され、前記取り付け軸の固定用ナットの下面
を覆ってブラケットと一体化される閉鎖手段と、ブラケットと閉鎖手段を固定部に固定す
る頭部異径の取り付けボルトとからなり、この取り付けボルトは、頭部にレンチ挿入回避
手段が備わった異径孔が設けられていると共に、ブラケットには、この取り付けボルトの
頭部にほぼ接して工具の挿入を阻止する凸部が設けられているネジ止め突起物の離脱防止
具。
【請求項２】
レンチ挿入回避手段は、内部に孔開口縁と同等高さ寸法に立ち上げた突起である請求項
１記載のネジ止め突起物の離脱防止具。
【請求項３】
異径孔は六角、四角、楕円、長円、三角、十文字、星の何れかの型である請求項１記載
のネジ止め突起物の離脱防止具。
【請求項４】
凸部は、取り付けボルトの頭部の最大径とほぼ同じ内法寸法を備えてこの取り付けボル
トの頭部を囲繞するように立ち上げた周壁である請求項１記載のネジ止め突起物の離脱防
止具。
【請求項５】
閉鎖手段は固定用ナットを収容する収容凹部が備わっている請求項１記載のネジ止め突
起物の離脱防止具。
【請求項６】
取り付けボルトは六角ボルトである請求項１または請求項４の何れかに記載のネジ止め
突起物の離脱防止具。
【請求項７】
自動二輪車のハンドルに取り付けられるバックミラーの取り付け軸の下端を緩み止めナ
ットと固定用ナットとの協働により固定保持するブラケットと、このブラケットの下部に
配され、前記取り付け軸の固定用ナットを入れ込む有底の収容筒体を備えて前記ブラケッ
トと一体化される閉鎖板と、ブラケットと閉鎖板をハンドルの取り付けネジ孔に固定する
六角孔付きボルトとからなり、この六角孔付きボルトの六角孔の内部には孔開口縁と同等
高さ寸法に立ち上げた突起が設けられていると共に、この六角ボルトの頭部最大径とほぼ
同じ内法寸法を備えてブラケットから立ち上げられた周壁によって、この六角ボルトの頭
部を囲繞するように構成してあるネジ止め式バックミラーの盗難防止具。
【考案の詳細な説明】
【技術分野】
【０００１】
この考案は、ネジ止め突起物の離脱防止具、更に詳しくは、軸部の端末にネジを備え、
取り付け基部にねじ込みによって、この軸部を固定するようにした突起物、例えば自転車
や自動二輪車のバックミラーが取り外されて持ち去られないようにしたネジ止め突起物の
離脱防止具に関する。
【背景技術】
【０００２】
例えば、自動二輪車のバックミラーＭの取り付け構造は、従来から、図５に示すように
、単にハンドルＡに設けた取り付けネジ孔Ｂにバックミラー取り付け軸Ｃの下端ネジ部Ｄ
を螺合し、緩み止めナットＥで固定する手段が採用されていた。
【０００３】
その結果、スパナやペンチ等の工具を用いて緩み止めナットＥを緩め、バックミラーＭ
を持ってその取り付け軸Ｃを回転させることにより、バックミラーＭをハンドルＡから簡
単に取り外すことができ、近年持ち去られるという不祥事か頻発している。
【０００４】
そこで、この問題を解決するために、過去幾つかの提案がなされている。
一つは、特開平１０−２５０６６３号公報に示されるように、取り付け軸基部のネジ部
に軸方向溝又は欠円形部を設け、回り止めワッシャ内周をネジ部に挿入して、回り止めワ
ッシャの内周に設けた突起又は欠円形部をネジ部の軸方向溝又は欠円形部に合せ通して回
り止めし、ネジ部をホルダーのネジ孔に螺合して回り止めワッシャの外周突起をネジ孔端
面外周の切欠きに嵌合させ、ネジ部に先に螺合したロックナットを回り止めワッシャを挟
んでネジ孔端面に緊着するようにしたものである。
【０００５】
また、今一つは、特開平１０−６８５７号公報に示されるように、車輌のハンドルに取
付ボルトにより固定するようにした取付台本体と、取付台本体の下部に配し、バックミラ
ー取付軸の固定用ナットの下面を覆って取付台本体と一体化されるカバー体と、錠と、錠
の操作にて動作する取付ボルトの頭部を覆うロック板から構成するというものである。
【０００６】
しかしながら、前者の提案に見られる構造は、スパナやペンチ等の通常の工具があれば
簡単にロックナットを緩めることができ、回り止めワッシャも簡単に取り除くことができ
るために、バックミラーを盗難から守ることは難しい。
【０００７】
また、後者の提案に見られる構造は、錠と、この錠によって作動するロック板を必要と
し、構造的に部品点数が多くなり、また紛失し易い錠を必要としているので、実用上不便
であり、コスト高にもなる。
【特許文献１】特開平１０−２５０６６３号公報
【特許文献２】特開平１０−６８５７号公報
【考案の開示】
【考案が解決しようとする課題】
【０００８】
解決しようとする問題点は、使用部品点数を可及的に少なくして、簡易な構造でありな
がら、簡便に分解することができず、且つ、廉価に提供できるようにする点である。
【課題を解決するための手段】
【０００９】
以上の技術的な課題を解決するために、この考案の請求項１記載のネジ止め突起物の離
脱防止具は、突起物の取り付け軸の下端を緩み止めナットと固定用ナットとの協働により
固定保持するブラケットと、このブラケットの下部に配され、前記取り付け軸の固定用ナ
ットの下面を覆ってブラケットと一体化される閉鎖手段と、ブラケットと閉鎖手段を固定
部に固定する頭部異径の取り付けボルトとからなり、この取り付けボルトは、頭部にレン
チ挿入回避手段が備わった異径孔が設けられていると共に、ブラケットには、この取り付
けボルトの頭部にほぼ接して工具の挿入を阻止する凸部が設けられたものである。
【００１０】
以上の構成によるネジ止め突起物の離脱防止具においては、まず突起物の取り付け軸を
固定ナットと緩み止めナットによってブラケットを挟着するようにして、ブラケットに固
定する。次いで、固定用ナットの下面を閉鎖手段で覆ってブラケットと一体化し、その後
固定部に取り付けボルトによって固定する。この取り付けボルトの回転は、頭部に設けら
れた異径孔に合致し、しかもこの異径孔に設けられたレンチ挿入回避手段を回避するよう
に作られた特殊レンチで行われる。固定した後は、この取り付けボルトは、頭部にほぼ接
して設けられた凸部によってスパナやペンチ等の工具の挿入を阻止する。また、頭部に設
けられるレンチ挿入回避手段によって、一般のレンチがこの異形孔に挿入されることをう
まく阻止する。このネジ止め突起物の離脱防止具は、正規の特殊レンチを取り付けボルト
の異径孔に挿入してこれを回動しない限り、取り付けボルトを取り外すことができず、こ
のため、ネジ止め突起物を容易に取り外すことは困難である。
【考案の効果】
【００１１】
したがって、この考案の請求項１記載のネジ止め突起物の離脱防止具は、以下の効果を
奏する。
正規の特殊レンチを用いて取り付けボルトを回動することによって、突起物の取り付け
軸を固定部に簡単に取り付けることができ、逆にこの特殊レンチを用いない限りは、取り
付けボルトを回動することができない。しかも、使用部品は、ブラケットと閉鎖手段、そ
して特殊取り付けボルトである。したがって、従来の構造と違って離脱防止具の構造を簡
単にでき、また、廉価に提供でき、併せて容易には突起物を固定部から取り外すことがで
きないので、盗難をより効果的に防止できる。
【００１２】
また、この考案に係るネジ止め突起物の離脱防止具は、請求項２に記載されるように、
レンチ挿入回避手段が、内部に孔開口縁と同等高さ寸法に立ち上げた突起であるのが望ま
しい。
取り付けボルトとの一体成形が簡易で、廉価に提供できる。
【００１３】
また、この考案に係るネジ止め突起物の離脱防止具は、請求項３に記載されるように、
異径孔は六角、四角、楕円、長円、三角、十文字、星等円形以外の形状であれば何れかの
型であってもよい。
孔形状がバラエティに富み、盗難の困難性をより一層効果的に確保できる。
【００１４】
また、この考案に係るネジ止め突起物の離脱防止具は、請求項４に記載されるように、
凸部は、取付ボルトの頭部最大径とほぼ同じ内法寸法を備えてこの六角ボルトの頭部を囲
繞するように立ち上げた周壁であるのが望ましい。
ブラケット成形に際し、製造が容易であり、併せてスパナやペンチの挿入を確実に阻止
し、廉価に提供できる上に盗難の困難性をより一層効果的に確保できるからである。
【００１５】
更に、この考案に係るネジ止め突起物の離脱防止具は、請求項５に記載されるように、
閉鎖手段は固定用ナットを収容する収容凹部が備わっているのが望ましい。
取り付け軸をブラケットに固定するに当たって、ブラケットの表裏両面には固定用ナッ
トと緩み止めナットとの回動作業を邪魔する構造物が存在しないため、このナット類の操
作が簡便である。また、この収容凹部をブラケット側に設けた構造に比べて、組み付け後
の見栄えが大変よくなる。つまり、収容凹部をブラケット側に設け場合、取り付け軸の下
端ネジ部に固定用ナットを螺合させるには、収容凹部内は工具の挿入スペースがないため
、実務的には、取り付け軸の下端ネジ部を収容凹部から下方へ所定寸法突出させた後、固
定用ナットを螺合する。次いで、取り付け軸を引き上げて固定用ナット部分を収容凹部内
に引き上げて収容し、既に嵌合させてある緩み止めナットをこのネジ部に螺合させて締め
込み、もって固定用ナットとこの緩み止めナットで収容凹部の上壁を挟着して固定する。
したがって、取り付け軸の下端に形成するネジの長さを長くする必要があり、また、装着
後にこのネジを隠す必要上、緩み止めナットの上下長を特大にしなければならい。取り付
け軸に対して無駄な加工を要する上に、更に長大な緩み止めナット（通常の上下寸法のナ
ットでは、ネジが露出して見栄えが悪くなる）を必要とし、高価になり、見栄えも劣るか
らである。
【００１６】
また、この考案に係るネジ止め突起物の離脱防止具は、請求項６に記載されるように、
取り付けボルトは六角ボルトであるのが望ましい。
既存のボルトであり、レンチ挿入回避手段を設けるにあたっても、設計変更が簡便で、
廉価に提供できる。
【００１７】
そして、この考案に係るネジ止め突起物の離脱防止具は、請求項７に記載されるように
、ネジ止め式バックミラーの盗難防止具に好適に適用される。
【考案を実施するための最良の形態】
【００１８】
以下、この考案に係るネジ止め突起物の離脱防止具を自動二輪車のバックミラーの取り
付け構造に適用した場合の実施の形態を図１〜４の記載に基づいて説明する。
【００１９】
本考案のネジ止め突起物の離脱防止具１は、図１〜３に示すように、突起物２の一例で
あるバックミラー２Ａを上端に備える取り付け軸３の一例であるステー３Ａの下端を保持
するブラケット４と、このブラケット４の下部に配され、前記ステー２Ａの固定用ナット
５の下面を覆ってブラケット４と一体化される閉鎖手段６としての閉鎖板６Ａ、ブラケッ
ト４と閉鎖板６Ａを固定部７であるハンドル７Ａに固定する頭部異径の取り付けボルト８
である六角ボルト８Ａとからなり、この六角ボルト８Ａは、頭部８Ｂにレンチ挿入回避手
段９が備わった異径孔１０としての六角孔１０Ａが備わっていると共に、ブラケット４に
は、この六角ボルト８Ａの頭部８Ｂにほぼ接してスパナやペンチ等の工具の挿入を阻止す
る凸部１１としての周壁１１Ａが一体に立ち上げられている。この周壁１１Ａは、この六
角ボルト８Ａの頭部８Ｂの最大径とほぼ同じ内法寸法を備えてこの六角ボルトの頭部８Ｂ
を囲繞するように設けられている。
【００２０】
ブラケット４には、平面視小判型形状を呈し、ベースはステンレスや鉄などの金属素材
の、基本的形状は板状体で形成されている。図３に示すように、ステー３Ａの取り付け孔
１２とハンドル７Ａへの取り付け孔１３とが左右に適宜の間隔を隔てて、上下に貫通して
設けられている。また、このハンドル７Ａへの取り付け孔１３の周囲からは、前記周壁１
１Ａが設けられている。
【００２１】
バックミラー２Ａのステー３Ａの下端には雄ネジ３Ｂが刻設されていて、前記取り付け
孔１２にこのステー２Ａの下端部を挿入し、ブラケット４の下面側からこの雄ネジ３Ｂに
螺合される固定用ナット５と予めこのステー３Ａに嵌合されてブラケット４の上面側から
この雄ネジ３Ｂに螺合される緩み止めナット１４によってブラケット４を挟着するように
して、このブラケット４に保持される。
【００２２】
閉鎖板６Ａは、ブラケット４と同寸で同形の小判型形状を呈し、ベースはステンレスや
鉄などの金属素材の、基本的形状は板状体で形成されている。この前記ブラケット４に設
けられているステー２Ａの前記取り付け孔１２に対応する部位で、このステー２Ａの取り
付け孔１２と同芯状に、前記固定用ナット５を収容するに足る、上方開放で有底の収容筒
体１５が、この閉鎖板６Ａの一端側から下方に向かって、一体に設けられている。また、
ハンドルへの取り付け孔１３に対応する位置には、上下に貫通するボルト孔１６が、この
ハンドルへの取り付け孔１３と同芯状に設けられている。
【００２３】
そして、ブラケット４にステー３Ａを取り付けた状態で、このブラケット４の下方から
閉鎖板６Ａを、その収容筒体１５内に前記固定用ナット５を嵌挿させた状態で重ね合わせ
ることにより、この固定用ナット５をブラケット４と閉鎖板６Ａの有底の収納筒体１５に
よって完全に密閉収納し、外部から回動操作ができないようにしてある。
【００２４】
取り付けボルト８としての六角ボルト８Ａによって、ブラケット４と閉鎖板６Ａとを以
上のように重ね合せた状態で、これを自動二輪車のハンドル７Ａの取り付けネジ孔７Ｂに
固定する。そして、この六角ボルト８Ａの頭部８Ｂには、六角孔１０Ａが備わっていて、
六角レンチによって回動操作できるように構成されている。しかし、単なる六角孔では簡
単に盗難にあうために、この六角孔１０Ａの中心部分に、レンチ挿入回避手段９としての
突起９Ａが立設されている。この突起９Ａは六角孔１０Ａの内面との間に少しの隙間が生
じる径に形成された柱体で、その上端は、この六角孔１０Ａの口縁高さ位置と同等の高さ
位置にまで立ち上げられている。しだかって、通常の六角レンチでは、この突起９Ａが邪
魔で、六角孔１０Ａには挿入できず、また、前記周壁１１Ａの存在は、スパナやペンチ等
の工具の使用を完全に受け付けないため、不用意に六角ボルト８Ａを回動操作することが
できないように構成されている。特殊な六角レンチを必要とする。
【００２５】
また、ブラケット４と閉鎖板６Ａの重合面には、図１、３、４に示すように、位置ずれ
防止手段１７が設けられている。このブラケット４と閉鎖板６Ａとの重合を簡単に行うた
めである。具体的には、ブラケットの裏面に設けた凸条１８と、閉鎖板６Ａの上面に、前
記凸条に対応して設けられた凹入溝１９で構成されている。それぞれ一対設けられていて
、ブラケット４と閉鎖板６Ａのそれぞれ長軸方向に沿わせ、かつ、前後辺縁近傍に設けら
れている。
【００２６】
以上のように構成されたこの考案に係るネジ止め突起物の離脱防止具にあっては、まず
バックミラー２Ａのステー３Ａを固定用ナット５と緩み止めナット１４によってブラケッ
ト４を挟着するようにして、ブラケット４に固定する。次いで、このブラケット４の下方
から閉鎖板６Ａを、その収容筒体１５内に前記固定用ナット５を嵌挿させた状態で重ね合
わせて一体化することにより、固定用ナット５をブラケット４と閉鎖板６Ａの有底の収納
筒体１５によって完全に密閉収納し、外部から回動操作ができないようにする。位置ずれ
防止手段１７によってブラケット４と閉鎖板６Ａの重合は簡便に行える。その後、一体化
されたこの離脱防止具１を、六角ボルトル８Ａをハンドル７Ａのネジ孔７Ｂに螺合させる
ことにより固定する。この六角ボルト８Ａの回動は、頭部８Ｂに設けられた六角孔１０Ａ
に合致し、しかもこの六角孔１０Ａに設けられた突起９Ａを回避するように作られた特殊
レンチで行われる。固定した後は、この六角ボルト８Ａは、頭部８Ｂにほぼ接して設けら
れた周壁１１Ａが、スパナやペンチ等の工具の挿入を阻止する。また、頭部８Ｂに設けら
れる突起９Ａによって、一般のレンチがこの六角孔１０Ａに挿入されることをうまく阻止
する。このネジ止め突起物の離脱防止具１は、正規の特殊レンチを六角ボルト８Ａの六角
孔１０Ａに挿入してこれを回動しない限り、六角ボルト８Ａを取り外すことができず、こ
のため、バックミラー２Ａを容易に取り外すことは困難である。
【００２７】
したがって、この考案では、正規の特殊レンチを用いて六角ボルト８Ａを回動すること
によって、バックミラー２Ａのステー３Ａをハンドル７Ａのネジ孔７Ｂに簡単に取り付け
ることができ、逆にこの特殊レンチを用いない限りは、六角ボルト８Ａを回動することが
できない。しかも、使用部品は、ブラケット４と閉鎖板６Ａ、そして特殊六角ボルト８Ａ
である。したがって、冒頭に記した従来の構造と違って離脱防止具の構造を簡単にでき、
また、廉価に提供でき、併せて容易にはバックミラー２Ａをハンドル７Ａのネジ孔７Ｂか
ら取り外すことができないので、盗難をより効果的に防止できる。
【００２８】
この考案においては、前記緩み止めナット１４を緩めることは簡単に行える。しかし、
固定用ナット５が収容筒体１５内にあって外部からは回動操作できないため、ステー３Ａ
は単に回動するのみで、離脱防止具１から取り外すことはできない。
【００２９】
なお、異径孔１０は、六角孔１０Ａに限らず、例えば四角、楕円、長円、三角、十文字
、星など適宜の形状を採用できる。また、突起９Ａの断面形状も、六角、円, 楕円、四角
、三角、星型など適宜の柱形状を採用できる。
【００３０】
図例では、取り付けボルト８には六角ボルト８Ａが採用されているが、頭部８Ｂは六角
に限らず、図示のような円形であってもよい。工具による操作を一層に効果的に防止でき
る。
【００３１】
更に、図例では、周壁１１Ａは六角ボルト８Ａの頭部８Ｂの全周を囲繞する構成を採用
したが必ずしもその必要はない。図示しないが、例えば六角ボルト８Ａの頭部にほぼ接し
て工具の挿入を阻止する部分的な１固、或いは複数個の凸部１１であっても所期の課題を
旨く達成できることは言うまでもない。凸部１１を複数個採用する場合は、六角ボルト８
Ａの頭部周囲に適宜間隔で配するよにうすればより望ましい。
【産業上の利用可能性】
【００３２】
この考案に係るネジ止め突起物の離脱防止具は、以上のような実施の形態に記載された
バックミラーのステーの離脱防止に限って適用されるものではない。これ以外にも、要す
るに、軸部の端末にネジを備え、取り付け基部にねじ込みによって、この軸部を固定する
ようにした突起物の離脱防止具として広く適用できる。
【図面の簡単な説明】
【００３３】
【図１】この考案に係るネジ止め突起物の離脱防止具を自動二輪車のバックミラーに適用した実施の形態を、要部の一部切欠き断面図である。
【図２】図１の一部切欠き外観図である。
【図３】図１の分解斜視図である。
【図４】位置ずれ防止手段の端面図で、図１中Ａ−Ａ線部位を示す。
【図５】従来構造の一例を示す説明図である。
【符号の説明】
【００３４】
１…離脱防止具
２…突起物
２Ａ…バックミラー
３…取り付け軸
３Ａ…ステー
４…ブラケット
５…固定用ナット
６…閉鎖手段
６Ａ…閉鎖板
７…固定部
７Ａ…ハンドル
７Ｂ…ネジ孔
８…取り付けボルト
８Ａ…六角ボルト
８Ｂ…頭部
９…レンチ挿入回避手段
９Ａ…突起
１０…異径孔
１０Ａ…六角孔
１１…凸部
１１Ａ…周壁
１４…緩み止めナット
１５…収容筒体
１７…位置ずれ防止手段
【図１】
0003100917.tif 000003
【図２】
0003100917.tif 000004
【図３】
0003100917.tif 000005
【図４】
0003100917.tif 000006
【図５】
0003100917.tif 000007